(57)【要約】【課題】マルチ画面表示機能による映像品質向上とテレテキストデータの復号性能の向上とを両立できるようにする。【解決手段】この映像表示装置のコントローラ１３は、２画面表示の際、チューナー１からのコンポジットビデオ信号をＥＱ５１を介して主画面用カラーデコーダー７へ入力すると共に、外部入力端子２からのコンポジットビデオ信号をＥＱ５２を介して副画面用カラーデコーダー８へ入力する一方、１画面表示の際は、２つに分岐された主画面用のコンポジットビデオ信号の一方をＥＱ５３を介して副画面用カラーデコーダー８へ入力する。【選択図】図１
2008166960.tif 000002
【特許請求の範囲】
【請求項１】
入力された少なくとも一つのコンポジットビデオ信号の処理経路を、２画面表示または１画面表示になるように切り替える第１切替ユニットと、
前記コンポジットビデオ信号を復調して、第１画面を表示するための映像信号を出力すると共に、垂直ブランキング期間のデータの中からテレテキストデータ以外のデータを抽出する第１カラーデコーダーと、
前記コンポジットビデオ信号を復調して、第２画面を表示するための映像信号を出力すると共に、前記垂直ブランキング期間のデータの中から前記テレテキストデータを抽出する第２カラーデコーダーと、
前記第１切替ユニットと前記第１カラーデコーダーとの間に接続され、前記コンポジットビデオ信号を画質優先の特性へ補正する第１補正ユニットと、
前記第１切替ユニットと前記第２カラーデコーダーとの間に接続され、前記コンポジットビデオ信号を画質優先の特性へ補正する第２補正ユニットと、
前記第１切替ユニットと前記第２カラーデコーダーとの間に接続され、前記コンポジットビデオ信号をデータ取得優先の特性へ補正する第３補正ユニットと、
前記第１切替ユニットと前記第２カラーデコーダーとの間に接続され、前記コンポジットビデオ信号を前記第２補正ユニットを通過させて前記第２カラーデコーダーへ入力する第１経路と前記第３補正ユニットを通過させて前記第２カラーデコーダーへ入力する第２経路に切り替える第２切替ユニットと、
前記２画面表示の際に、前記第１画面表示用のコンポジットビデオ信号を前記第１補正ユニットを介して第１カラーデコーダーへ入力すると共に、前記第２画面表示用のコンポジットビデオ信号を前記第１経路を通じて前記第２カラーデコーダーへ入力するよう前記第１切替ユニット及び前記第２切替ユニットを制御する一方、前記１画面表示の際には、前記第１画面表示用のコンポジットビデオ信号を前記第１補正ユニットを介して第１カラーデコーダーへ入力すると共に、分岐した一方の前記コンポジットビデオ信号または他から入力されたコンポジットビデオ信号を前記第２経路を通じて前記第２カラーデコーダーへ入力するよう前記第１切替ユニット及び前記第２切替ユニットを制御するコントローラと
を具備することを特徴とする映像表示装置。
【請求項２】
入力された少なくとも一つのコンポジットビデオ信号の処理経路を、２画面表示または１画面表示になるように切り替える第１切替ユニットと、
垂直ブランキング期間のデータの中からテレテキストデータ以外のデータを抽出する第１カラーデコーダーと、
前記コンポジットビデオ信号を復調して、第２画面を表示するための映像信号を出力すると共に、前記垂直ブランキング期間のデータの中から前記テレテキストデータを抽出する第２カラーデコーダーと、
前記第１切替ユニットと前記第２カラーデコーダーとの間に接続され、前記コンポジットビデオ信号をデータ取得優先の特性に補正する第３信号補正ユニットと、
前記第１切替ユニットと前記第２カラーデコーダーとの間に接続され、前記コンポジットビデオ信号を前記第３補正ユニットを通過させず前記第２カラーデコーダーへ直接入力する第１経路と前記第３補正ユニットを通過させて前記第２カラーデコーダーへ入力する第２経路に切り替える第２切替ユニットと、
前記２画面表示の際には、前記第１画面表示用のコンポジットビデオ信号を前記第１カラーデコーダーへ直接入力すると共に、前記第２画面表示用のコンポジットビデオ信号を前記第１経路を通じて前記第２カラーデコーダーへ入力するよう前記第１切替ユニット及び前記第２切替ユニットを制御する一方、前記１画面表示の際には、前記第１画面表示用のコンポジットビデオ信号を前記第１カラーデコーダーへ入力すると共に、分岐した一方の前記コンポジットビデオ信号または他から入力されたコンポジットビデオ信号を前記第２経路を通じて前記第２カラーデコーダーへ入力するよう前記第１切替ユニット及び前記第２切替ユニットを制御するコントローラと
を具備することを特徴とする映像表示装置。
【請求項３】
前記第１画面と前記第２画面を表示可能な表示パネルを具備することを特徴とする請求項１，２いずれか記載の映像表示装置。
【請求項４】
入力されたコンポジットビデオ信号から、第１画面に表示する映像信号と垂直ブランキング期間のデータの中からテレテキストデータ以外のデータとを抽出する第１カラーデコーダーと、第２画面に表示する映像信号と前記垂直ブランキング期間のデータの中からテレテキストデータとを抽出する第２カラーデコーダーと、前記コンポジットビデオ信号を前記第１カラーデコーダーと前記第２カラーデコーダーへ出力するための信号経路の切り替え制御を行う制御ユニットとを備えた映像表示装置における映像表示方法において、
前記制御ユニットは、
前記第１画面と前記第２画面とを同時に表示する２画面表示の際に、前記第１画面表示用のコンポジットビデオ信号を前記第１カラーデコーダーへ直接入力すると共に、前記第２画面表示用のコンポジットビデオ信号を前記第２カラーデコーダーへ直接入力する一方、前記１画面のみを表示する際には、前記第１画面表示用のコンポジットビデオ信号を前記第１カラーデコーダーへ直接入力すると共に、分岐した一方の前記コンポジットビデオ信号または他から入力されたコンポジットビデオ信号をデータ取得優先の第３補正ユニットを介して前記第２カラーデコーダーへ入力することを特徴とする映像表示方法。
【発明の詳細な説明】
【技術分野】
【０００１】
本発明は、マルチ画面表示が可能であり、かつテレテキススト（TELETEXT）の表示が可能な映像表示装置および映像表示方法に関する。
【背景技術】
【０００２】
テレテキスストを表示可能なテレビジョン受信機は、通常、チューナーから出力されたビデオ信号を２つ（主画面用のものとテレテキスストデータ取得用のもの）に分岐させて、同じビデオ信号を利用してテレテキスストデータを取得している。
【０００３】
ビデオ信号には、画質的に最適な特性なものとテレテキスストデータが含まれるＶＢＩデータを取得しやすい特性のものとがあり、画質的に最適な特性とＶＢＩデータを取得しやすい特性とは必ずしも一致しないため、ビデオ信号の特性を画質優先に設定した場合、テレテキスストデータの取り込み性能が悪化してしまう。また逆もある。
【０００４】
そこで、テレビジョン受信機に２つのチューナーを備え、例えば１番目のチューナーから出力されたビデオ信号が画像出力のために利用されている間に，２番目のチューナーから出力されたビデオ信号をテレテキスト復号用に利用してテレテキストデータを得る技術がある（例えば特許文献１参照）。
【特許文献１】特開平５−２４４５２２号公報
【発明の開示】
【発明が解決しようとする課題】
【０００５】
上記先行技術の場合、テレテキストデータの復号のためだけに専用のチューナーを搭載することになり、本来、２系統のビデオ信号により２画面表示が可能にもかかわらず、その機能が無駄になるという問題がある。
【０００６】
本発明はこのような課題を解決するためになされたもので、マルチ画面表示機能による映像品質向上とテレテキストデータの復号性能の向上とを両立することができる映像送信装置および映像表示方法を提供することを目的とする。
【課題を解決するための手段】
【０００７】
上記の課題を解決するために本発明の映像表示装置は、入力された少なくとも一つのコンポジットビデオ信号の処理経路を、２画面表示または１画面表示になるように切り替える第１切替ユニットと、前記コンポジットビデオ信号を復調して、第１画面を表示するための映像信号を出力すると共に、垂直ブランキング期間のデータの中からテレテキストデータ以外のデータを抽出する第１カラーデコーダーと、前記コンポジットビデオ信号を復調して、第２画面を表示するための映像信号を出力すると共に、前記垂直ブランキング期間のデータの中から前記テレテキストデータを抽出する第２カラーデコーダーと、前記第１切替ユニットと前記第１カラーデコーダーとの間に接続され、前記コンポジットビデオ信号を画質優先の特性へ補正する第１補正ユニットと、前記第１切替ユニットと前記第２カラーデコーダーとの間に接続され、前記コンポジットビデオ信号を画質優先の特性へ補正する第２補正ユニットと、前記第１切替ユニットと前記第２カラーデコーダーとの間に接続され、前記コンポジットビデオ信号をデータ取得優先の特性へ補正する第３補正ユニットと、前記第１切替ユニットと前記第２カラーデコーダーとの間に接続され、前記コンポジットビデオ信号を前記第２補正ユニットを通過させて前記第２カラーデコーダーへ入力する第１経路と前記第３補正ユニットを通過させて前記第２カラーデコーダーへ入力する第２経路に切り替える第２切替ユニットと、前記２画面表示の際に、前記第１画面表示用のコンポジットビデオ信号を前記第１補正ユニットを介して第１カラーデコーダーへ入力すると共に、前記第２画面表示用のコンポジットビデオ信号を前記第１経路を通じて前記第２カラーデコーダーへ入力するよう前記第１切替ユニット及び前記第２切替ユニットを制御する一方、前記１画面表示の際には、前記第１画面表示用のコンポジットビデオ信号を前記第１補正ユニットを介して第１カラーデコーダーへ入力すると共に、分岐した一方の前記コンポジットビデオ信号または他から入力されたコンポジットビデオ信号を前記第２経路を通じて前記第２カラーデコーダーへ入力するよう前記第１切替ユニット及び前記第２切替ユニットを制御するコントローラとを具備することを特徴とする。
【０００８】
本発明の映像表示装置は、入力された少なくとも一つのコンポジットビデオ信号の処理経路を、２画面表示または１画面表示になるように切り替える第１切替ユニットと、垂直ブランキング期間のデータの中からテレテキストデータ以外のデータを抽出する第１カラーデコーダーと、前記コンポジットビデオ信号を復調して、第２画面を表示するための映像信号を出力すると共に、前記垂直ブランキング期間のデータの中から前記テレテキストデータを抽出する第２カラーデコーダーと、前記第１切替ユニットと前記第２カラーデコーダーとの間に接続され、前記コンポジットビデオ信号をデータ取得優先の特性に補正する第３信号補正ユニットと、前記第１切替ユニットと前記第２カラーデコーダーとの間に接続され、前記コンポジットビデオ信号を前記第３補正ユニットを通過させず前記第２カラーデコーダーへ直接入力する第１経路と前記第３補正ユニットを通過させて前記第２カラーデコーダーへ入力する第２経路に切り替える第２切替ユニットと、前記２画面表示の際には、前記第１画面表示用のコンポジットビデオ信号を前記第１カラーデコーダーへ直接入力すると共に、前記第２画面表示用のコンポジットビデオ信号を前記第１経路を通じて前記第２カラーデコーダーへ入力するよう前記第１切替ユニット及び前記第２切替ユニットを制御する一方、前記１画面表示の際には、前記第１画面表示用のコンポジットビデオ信号を前記第１カラーデコーダーへ入力すると共に、分岐した一方の前記コンポジットビデオ信号または他から入力されたコンポジットビデオ信号を前記第２経路を通じて前記第２カラーデコーダーへ入力するよう前記第１切替ユニット及び前記第２切替ユニットを制御するコントローラとを具備することを特徴とする。
【０００９】
本発明の映像表示方法は、入力されたコンポジットビデオ信号から、第１画面に表示する映像信号と垂直ブランキング期間のデータの中からテレテキストデータ以外のデータとを抽出する第１カラーデコーダーと、第２画面に表示する映像信号と前記垂直ブランキング期間のデータの中からテレテキストデータとを抽出する第２カラーデコーダーと、前記コンポジットビデオ信号を前記第１カラーデコーダーと前記第２カラーデコーダーへ出力するための信号経路の切り替え制御を行う制御ユニットとを備えた映像表示装置における映像表示方法において、前記制御ユニットは、前記第１画面と前記第２画面とを同時に表示する２画面表示の際に、前記第１画面表示用のコンポジットビデオ信号を前記第１カラーデコーダーへ直接入力すると共に、前記第２画面表示用のコンポジットビデオ信号を前記第２カラーデコーダーへ直接入力する一方、前記１画面のみを表示する際には、前記第１画面表示用のコンポジットビデオ信号を前記第１カラーデコーダーへ直接入力すると共に、分岐した一方の前記コンポジットビデオ信号または他から入力されたコンポジットビデオ信号をデータ取得優先の第３補正ユニットを介して前記第２カラーデコーダーへ入力することを特徴とする。
【発明の効果】
【００１０】
本発明によれば、マルチ画面表示機能による映像品質向上とテレテキストデータの復号性能の向上とを両立することができる。
【発明を実施するための最良の形態】
【００１１】
以下、本発明の実施の形態について図面を参照しながら説明する。図１は本発明の第１実施形態に係る映像表示システムの構成を示すブロック図である。
【００１２】
図１に示すように、第１実施形態の映像表示装置は、チューナー１、コンポジットビデオ信号入力端子としての外部入力端子２、第１切替ユニットとしてのビデオスイッチ３、第１カラーデコーダーとしての主画面用カラーデコーダー７、第２カラーデコーダーとしての副画面用カラーデコーダー８、スケーラー９，１０、出力表示プロセッサ１１、表示パネル１２、第１補正ユニットとしての第１イコライザー５１（以下「ＥＱ５１」と称す）、第２補正ユニットとしての第２イコライザー５２（以下「ＥＱ５２」と称す）、第３補正ユニットとしての第３イコライザー５３（以下「ＥＱ５３」と称す）、第２切替ユニットとしての信号経路切替スイッチ６、コントローラ１３を備えている。なお、この図１において、点線は制御信号の流れを示し、実線は映像信号またはデータの流れを示す。
【００１３】
チューナー１は、アンテナよりアナログ方式またはデジタル方式のテレビジョン放送を受信し、コンポジットビデオ信号をビデオスイッチ３へ出力する。
【００１４】
外部入力端子２は、ＤＶＤプレーヤー、ＣＡＴＶチューナー、地上デジタル放送チューナーなどの外部機器の映像出力信号、つまりコンポジットビデオ信号が入力される端子である。
【００１５】
ビデオスイッチ３は、入力側端子が４つで出力側端子が２つのスイッチ３１，３２を有しており、コントローラ１３から入力される制御信号によって、コンポジットビデオ信号の経路を切り替え可能である。
【００１６】
このビデオスイッチ３は、同じ入力系統の（分岐された）２つのコンポジットビデオ信号を主画面用(第１画面表示用)の信号経路と副画面用(第２画面表示用)の信号経路に別個に出力する１系統入力２分岐出力と、別個の入力系統の２つのコンポジットビデオ信号を主画面用の信号経路と副画面用の信号経路にそれぞれ出力する２系統入力２系統出力との２つの信号経路切替機能を有している。
【００１７】
２系統入力２系統出力は、例えばチューナー１からのコンポジットビデオ信号を主画面用の信号経路へ出力し、外部入力端子２からのコンポジットビデオ信号を副画面用の信号経路へ出力する。
【００１８】
つまり、ビデオスイッチ３は、入力された少なくとも一つのコンポジットビデオ信号の処理経路を、２画面表示または１画面表示になるように切り替える。２画面表示とは、主画面と副画面とを同時に表示することをいう。これ以外に２つの画面の表示の形態については特に限定されるものではない。
【００１９】
主画面用カラーデコーダー７には、それぞれＶＢＩスライサー７１が内蔵されている。ＶＢＩとは、垂直ブランキング期間：Vertical Blanking Intervalをいう。ＶＢＩスライサー７１は、コンポジットビデオ信号からテレテキストデータ以外のＶＢＩデータを抽出しコントローラ１３へ出力する。テレテキスト以外のＶＢＩデータには、ＶＰＳ（VIDEO Programming System）やＷＳＳ（Wide Screen Signaling）などのデータがある。
【００２０】
主画面用カラーデコーダー７は、入力されたコンポジットビデオ信号から色復調を行い、Ｙ色差信号に変換してスケーラー９に出力する。
【００２１】
主画面用カラーデコーダー７は、コンポジットビデオ信号を復調して、主画面を表示するための映像信号を出力すると共に、垂直ブランキング期間のデータの中からテレテキストデータ以外のＶＢＩデータを抽出してコントローラ１３へ出力する。つまり主画面用カラーデコーダー７からは、主画面表示用の映像信号とテレテキストデータ以外のＶＢＩデータが出力される。
【００２２】
副画面用カラーデコーダー８には、ＶＢＩスライサー８１が内蔵されている。ＶＢＩスライサー８１は、コンポジットビデオ信号からテレテキストデータを抽出しコントローラ１３へ出力する。副画面用カラーデコーダー８は、入力されたコンポジットビデオ信号から色復調を行い、Ｙ色差信号等の映像信号に変換してスケーラー１０に出力する。
【００２３】
副画面用カラーデコーダー８は、コンポジットビデオ信号を復調して、副画面を表示するための映像信号を出力すると共に、前記垂直ブランキング期間のデータの中からテレテキストデータを抽出し、コントローラ１３へ出力する。つまりカラーデコーダー８からは、副画面表示用の映像信号とテレテキストデータが出力される。
【００２４】
スケーラー９，１０は、それぞれに入力された映像信号を所望の画面サイズ・フォーマットに変換した後、その信号を出力表示プロセッサ１１（OUTPUT DISPLAY Processor）に出力する。
【００２５】
出力表示プロセッサ１１は、２画面表示の際に各スケーラー９，１０からそれぞれ入力される映像信号を合成し、表示パネル１２へ出力する。
【００２６】
２画面同時表示のときには、副画面経路の信号は、ＥＱ５１と同じ補正特性を持つＥＱ５２、副画面用カラーデコーダー８およびスケーラー１０を介して出力表示プロセッサ１１に入力される。
【００２７】
テレテキスト信号は、コンポジットビデオ信号の垂直ブランキング期間（ＶＢＩ）の５ライン−２２ラインのうちの、例えば１６ライン等に重畳されている。
【００２８】
このテレテキスト信号は、１画面表示の際に、副画面用カラーデコーダー８内のＶＢＩスライサー８１で、デジタルデータに変換され、コントローラ１３でデコードされ、テレテキスト表示用信号に変換され、出力表示プロセッサ１１で主画面用の映像信号と重畳される。
【００２９】
テレテキスト信号の挿入ラインは、１６ラインであり、他の信号（例えばＶＰＳ等）が挿入されるラインと競合している。このような場合、主画面用と副画面用で、それぞれ別個に設定しておけば、それぞれのデータを同時に取得することができる。
【００３０】
表示パネル１２は、例えばＬＣＤパネルなどであり、通常の１画面表示の他、第１画面と第２画面をダブルウインドウ（ＤＷ）やピクチャーインピクチャー（ＰＩＰ）などの２画面で表示可能である。
【００３１】
ＥＱ５１は、ビデオスイッチ３と主画面用カラーデコーダー７との間に接続されている。ＥＱ５１は、入力されたコンポジットビデオ信号を画質優先の特性へ補正する。つまりＥＱ５１は、コンポジットビデオ信号を画質優先の特性のコンポジットビデオ信号へ特性変換する。
【００３２】
ＥＱ５２は、ビデオスイッチ３と副画面用カラーデコーダー８との間に接続されている。ＥＱ５２は、ＥＱ５１と同じ回路構成で同じ回路定数のものが使用されている。すなわち、ＥＱ５２は、ＥＱ５１と同等の信号補正機能を有している。ＥＱ５２は、入力されたコンポジットビデオ信号を画質優先の特性へ補正する。つまりＥＱ５２は、コンポジットビデオ信号を画質優先の特性のコンポジットビデオ信号へ特性変換する。
【００３３】
ＥＱ５３は、ビデオスイッチ３と副画面用カラーデコーダー８との間に接続されている。ＥＱ５３は、ＥＱ５１と同じ回路構成で異なる回路定数のものが使用されている。ＥＱ５３は、入力されたコンポジットビデオ信号をテレテキストデータを取得するのに最良の特性へ補正する。つまりＥＱ５３は、コンポジットビデオ信号をテレテキストデータ取得優先の特性のコンポジットビデオ信号へ特性変換する。
【００３４】
ＥＱ５１，ＥＱ５２，ＥＱ５３は、図２に示すように、抵抗ＲＴ１０〜ＲＴ１８、コンデンサＣＴ０７〜ＣＴ１２、トランジスタＱＴ０４〜ＱＴ０６、インダクタＬＴ０２などのディスクリート部品により回路が構成されている。ＥＱ５１，ＥＱ５２，ＥＱ５３は、コンポジットビデオ信号の群遅延特性と周波数特性を補正（調整）する。
【００３５】
経路切替スイッチ６は、ＥＱ５２，５３と副画面用カラーデコーダー８との間に接続されている。経路切替スイッチ６は、制御信号により制御されて、コンポジットビデオ信号の経路をＥＱ５２を通過させて副画面用カラーデコーダー８へ入力する第１経路と、ＥＱ５３を通過させて副画面用カラーデコーダー８へ入力する第２経路とに切り替える。
【００３６】
コントローラ１３は、画面表示機能が２画面表示モードに設定された場合、つまり２画面表示の際には、第１画面表示用のコンポジットビデオ信号であるチューナー１からのコンポジットビデオ信号をＥＱ５１を介して主画面用カラーデコーダー７へ入力すると共に、第２画面表示用のコンポジットビデオ信号である外部入力端子２からのコンポジットビデオ信号を、ＥＱ５２を介する第１経路を通じて副画面用カラーデコーダー８へ入力するようビデオスイッチ３及び信号経路切替スイッチ６を制御する。
【００３７】
また、コントローラ１３は、画面表示機能が１画面表示モードに設定され、入力信号としてチューナー１からのコンポジットビデオ信号が選択された場合、第１画面表示用のコンポジットビデオ信号であるチューナー１からのコンポジットビデオ信号をＥＱ５１を介して主画面用カラーデコーダー７へ入力すると共に、チューナー１から分岐入力された同じコンポジットビデオ信号をＥＱ５３を介する第２経路を通じて副画面用カラーデコーダー８へ入力するようビデオスイッチ３及び信号経路切替スイッチ６を制御する。
【００３８】
以下、この映像表示装置の動作を説明する。この映像表示装置では、一つの入力信号、例えばチューナー１からのコンポジットビデオ信号を復調して主画面のみを表示させる１画面表示を行うモード（以下「１画面表示モード」と称す）の場合は、チューナー１からのコンポジットビデオ信号は、回路上で分岐されて２つの同じ信号が別々にビデオスイッチ３に入力される。
【００３９】
この場合、コントローラ１３は、ビデオスイッチ３を制御して、分岐入力された一方のコンポジットビデオ信号をＥＱ５１へ出力し、他方をＥＱ５３へ出力する。なお、チューナー１からのコンポジットビデオ信号を選択せずに、外部入力端子２からの入力信号を選択した場合、外部入力端子２から入力されたコンポジットビデオ信号が回路上で２つに分岐されて別々にビデオスイッチ３に入力される。そのうち一方をビデオスイッチ３で主画面用の信号経路へ出力し、他方については、データ取得用にして映像信号へのデコードをせず、１画面表示する場合もある。
【００４０】
１画面表示モードの場合、分岐された一方のコンポジットビデオ信号がビデオスイッチ３からＥＱ５１に入力されると、そのコンポジットビデオ信号は、ＥＱ５１を通して画質優先の特性に補正された後、主画面用カラーデコーダー７に入力される。主画面用カラーデコーダー７では、入力されたコンポジットビデオ信号より最良な画質で映像信号を生成し、スケーラー９へ出力する。
【００４１】
スケーラー９では、入力された映像信号を所望の画面サイズ・フォーマットに変換した後、その信号を出力表示プロセッサ１１に出力する。
【００４２】
一方、分岐された他方のコンポジットビデオ信号は、コントローラ１３によりビデオスイッチ３および信号経路切替スイッチ６が制御されて第２経路にて副画面用カラーデコーダー８へ入力される。つまり、主画面用と同じコンポジットビデオ信号は、ビデオスイッチ３からＥＱ５３に入力され、その信号は、ＥＱ５３を通してテレテキストデータの取得に最良な特性とされた上で副画面用カラーデコーダー８へ入力される。
【００４３】
これにより、副画面用カラーデコーダー８では、ＶＢＩスライサー８１が、テレテキストデータの取得に最良な特性とされたコンポジットビデオ信号よりテレテキストデータを安定して抽出することができる。
【００４４】
ＶＢＩスライサー８１により抽出されたテレテキストデータは、コントローラ１３に入力される。コントローラ１３は、テレテキストデータよりテレテキスト表示データを生成し、出力表示プロセッサ１１へ出力する。
【００４５】
出力表示プロセッサ１１では、スケーラー９から入力された主画面用の映像信号に、コントローラ１３から入力されたテレテキスト表示データを重畳して表示パネル１２に出力する。これにより、映像にテレテキストを重ねた１画面の映像が表示されるようになる。
【００４６】
一方、２画面同時表示モードの場合、コントローラ１３は、主画面用の信号と副画面用の信号とをそれぞれ別々の経路で伝送し、出力表示プロセッサ１１で合成し、表示パネル１２へ出力する。
【００４７】
例えば主画面用の信号の経路は、チューナー１の出力を主画面用カラーデコーダー７およびスケーラー９を介して出力表示プロセッサ１１へ入力する経路とされ、副画面用の信号の経路は、外部入力端子２からの入力信号を副画面用カラーデコーダー８およびスケーラー１０を介して出力表示プロセッサ１１へ入力する経路とされる。
【００４８】
このように、チューナー１から出力されたコンポジットビデオ信号を主画面に表示し、外部入力端子２から入力されたコンポジットビデオ信号を副画面に表示する２画面同時表示の場合は、コントローラ１３がビデオスイッチ３と信号経路切替スイッチ６を制御して、チューナー１からビデオスイッチ３に入力されたコンポジットビデオ信号を、画質優先の補正を行うＥＱ５１へ出力し、ＥＱ５１を通して主画面用カラーデコーダー７に入力する。
【００４９】
また外部入力端子２からビデオスイッチ３に入力されたコンポジットビデオ信号をＥＱ５１と同じ特性補正機能を持つＥＱ５２へ出力し、ＥＱ５２を通して副画面用カラーデコーダー８に入力するので、主画面および副画面共にそれぞれの映像が最良な画質で表示されるようになる。
【００５０】
つまり、別個のコンポジットビデオ信号の特性をそれぞれ画質優先に補正した上で、それぞれのデコーダー７，８へ入力することで、２画面表示の際にもそれぞれの画面で優良な映像の画質を得ることができる。
【００５１】
このようにこの第１実施形態の映像表示装置によれば、２画面表示の際に、チューナー１からのコンポジットビデオ信号を画質優先のＥＱ５１を介して主画面用カラーデコーダー７へ入力すると共に、外部入力端子２からのコンポジットビデオ信号を画質優先のＥＱ５２を介して副画面用カラーデコーダー８へ入力する一方、１画面表示の際は、２つに分岐された主画面用のコンポジットビデオ信号の一方をテレテキストデータ取得優先のＥＱ５３を介して副画面用カラーデコーダー８へ入力するので、マルチ画面表示機能による映像品質の向上とテレテキストデータの復号性能の向上とを両立させることができる。
【００５２】
すなわち、複数のコンポジットビデオ信号の入力機能を備え、映像を主画面と副画面の２画面に同時に表示可能な装置において、主画面のみに映像を表示する際に、主画面の信号経路とは別の信号経路上に設けた副画面用カラーデコーダー８をテレテキストデータの取得に利用し、その信号経路上にテレテキストの取り込みが最良となるＥＱ５３（第３補正ユニット）を配置することで、主画面の映像の画質を最良にしつつ最適なテレテキストデータの取り込み性能を得ることができる。
【００５３】
続いて、図３，図４を参照して第２実施形態について説明する。なおこの第２実施形態において上記第１実施形態と同じ構成には同一の符号を付しその説明は省略する。
【００５４】
図３に示すように、第２実施形態の映像表示装置は、チューナー１、外部入力端子２、ビデオスイッチ３、主画面用カラーデコーダー７、副画面用カラーデコーダー８、スケーラー９，１０、出力表示プロセッサ１１、表示パネル１２、ＥＱ５３、信号経路切替スイッチ６、コントローラ１３を備えている。
【００５５】
信号経路切替スイッチ６は、ビデオスイッチ３と副画面用カラーデコーダー８との間に接続されている。信号経路切替スイッチ６は、ビデオスイッチ３から出力されたコンポジットビデオ信号を、ＥＱ５３を通過させずに副画面用カラーデコーダー８へ直接入力する第１経路（バイパス経路）と、ＥＱ５３を通過させて副画面用カラーデコーダー８へ入力する第２経路（信号補正経路）に切り替える。
【００５６】
つまり、この第２実施形態の映像表示装置は、チューナー１において予め画質優先の特性のコンポジットビデオ信号を生成した上で後段の信号処理経路へ出力することで、第１実施形態で付加していた２つの同じ特性のＥＱ５１，ＥＱ５２を抹消している。
【００５７】
この第２実施形態では、第１画面と第２画面とを同時に表示する２画面表示モードの場合、コントローラ１３は、第１画面表示用のコンポジットビデオ信号である、チューナー１からのコンポジットビデオ信号を主画面用カラーデコーダー７へ直接入力すると共に、外部入力端子２からのコンポジットビデオ信号を第１経路（バイパス経路）を通じて副画面用カラーデコーダー８へ入力するようビデオスイッチ３および信号経路切替スイッチ６を制御する。
【００５８】
これにより、２画面表示の際には、チューナー１から画質優先の特性で出力されたコンポジットビデオ信号が主画面用カラーデコーダー７へ入力されて、外部入力端子２から画質優先の特性で出力されたコンポジットビデオ信号が副画面用カラーデコーダー８へ入力されて、それぞれのデコーダー７，８で復号されてスケーラーを９，１０を介して出力表示プロセッサ１１で合成出力される。
【００５９】
また、１画面表示モードの場合、コントローラ１３は、チューナー１から分岐した一方のコンポジットビデオ信号を主画面用カラーデコーダー７へ直接入力すると共に、他から入力されたコンポジットビデオ信号（外部入力端子２からの入力信号）またはチューナー１から分岐した他方のコンポジットビデオ信号をデータ取得優先のＥＱ５３を介して副画面用カラーデコーダー８へ入力するようビデオスイッチ３および信号経路切替スイッチ６を制御する。
【００６０】
これにより、１画面表示の際には、２つに分岐された画質優先の特性の主画面用のコンポジットビデオ信号の一方が、主画面用カラーデコーダー７へ直接入力されて復調後、スケーラー９を通じて出力表示プロセッサ１１へ入力される。また分岐された他方のコンポジットビデオ信号は、テレテキストデータ取得優先の信号へ補正するＥＱ５３を介して副画面用カラーデコーダー８へ入力され、ＶＢＩスライサー８１でＶＢＩデータのうちのテレテキストデータが抽出された上でコントローラ１３を通じて出力表示プロセッサ１１へ入力される。
出力表示プロセッサ１１では、主画面用の映像にテレテキストデータが重畳されて一つの画面が構成されて、表示パネル１２へ出力されて１画面が表示される。
【００６１】
図４に示すように、ＥＱ５３を通さないコンポジットビデオ信号の波形６１とＥＱ５３を通したコンポジットビデオ信号の波形６２を比較すると、ＥＱ５３を通さないコンポジットビデオ信号の波形６１よりもＥＱ５３を通したコンポジットビデオ信号の波形６２の方が、波高が高くなっている、つまりダイナミックレンジが広がっており、データの取得に適した特性になっていることがわかる。
【００６２】
具体的には、コンポジットビデオ信号の波形６２の中で、クロックランイン(ＣＲＩ)、フレームコード（ＦＣ）の後に、テレテキストデータが続くが、例えばシュートの部分６３を適度に大きくすることで、信号の切り替わりがはっきりし、ＶＢＩスライサー８１でスライスするときに、データが取得し易くなる。
一方、これを映像信号としてデコードした場合は、映像のエッジがぎらぎらするようになり、視聴用の映像信号としては良いものではなくなる。
【００６３】
この第２実施形態の映像表示装置によれば、信号入力元、例えばチューナー１にて予め画質優先の特性のコンポジットビデオ信号を生成した上で、その信号をそれぞれの経路へ出力することで、第１実施形態で付加していた同じ特性のＥＱ５１，ＥＱ５２を削減し、簡素な構成にすることができる。
【００６４】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００６５】
例えば、異なる実施形態にわたる構成要素を適宜組み合わせてもよく、各実施形態に示される全構成要素から幾つかの構成要素を削除してもよい。
【００６６】
上記実施形態では、１画面表示と２画面表示の場合について説明したが、外部入力端子２やビデオスイッチ３のスイッチ数が多い場合は、３画面表示でも４画面表示等のマルチ画面でも良い。
【図面の簡単な説明】
【００６７】
【図１】第１実施形態の映像表示装置の構成を示す図である。
【図２】映像表示装置のＥＱの回路の一例を示す回路図である。
【図３】第２実施形態の映像表示装置の構成を示す図である。
【図４】図３の映像表示装置において、ＥＱを通過させない信号とＥＱを通過した信号とを比較するための波形図である。
【符号の説明】
【００６８】
１…チューナー、２…外部入力端子、３…ビデオスイッチ、６…信号経路切替スイッチ、７…主画面用カラーデコーダー、８…副画面用カラーデコーダー、９，１０…スケーラー、１１…出力表示プロセッサ、１２…表示パネル、１３…コントローラ、３１，３２…スイッチ、５１，５２，５３…イコライザー（ＥＱ）、７１，８１…ＶＢＩスライサー。
【図１】
2008166960.tif 000003
【図２】
2008166960.tif 000004
【図３】
2008166960.tif 000005
【図４】
2008166960.tif 000006